(57)【要約】【課題】  二個の大入賞口を効果的に利用し、弾球遊技機の遊技性に大きな変化を与える。【解決手段】  始動口１４に対する遊技球の入賞に応じて、特別図柄を変動表示する特別図柄表示部１８と、特別図柄に係る抽選に当選したとき、開放動作される大入賞口１５とを備えるパチンコ遊技機１において、大入賞口１５として、第一大入賞口１５Ａ及び第二大入賞口１５Ｂを設けると共に、これらの大入賞口１５Ａ、１５Ｂを、予め定められた条件に基づいて使い分ける。例えば、通常大当りと確変大当りで大入賞口１５Ａ、１５Ｂを使い分けたり、小当りと大当りで大入賞口１５Ａ、１５Ｂを使い分ける。【選択図】        図３
2006101978.tif 000002
【特許請求の範囲】
【請求項１】
始動口に対する遊技球の入賞に応じて、特別図柄を変動表示する特別図柄表示部と、特別図柄に係る抽選に当選したとき、開放動作される大入賞口とを備える弾球遊技機において、前記大入賞口として、第一大入賞口及び第二大入賞口を備えると共に、これらの大入賞口を、予め定められた条件に基づいて使い分けることを特徴とする弾球遊技機。
【請求項２】
前記第一大入賞口と前記第二大入賞口を、前記特別図柄抽選における当選の種別に応じて使い分けることを特徴とする請求項１記載の弾球遊技機。
【請求項３】
前記当選の種別には、前記大入賞口の開放動作後、特別図柄抽選の当選確率を低確率にする通常大当りと、前記大入賞口の開放動作後、特別図柄抽選の当選確率を高確率にする確変大当りとが含まれることを特徴とする請求項２記載の弾球遊技機。
【請求項４】
前記当選の種別には、前記大入賞口を１ラウンドだけ開放動作させる小当りと、前記大入賞口を複数ラウンドに亘って開放動作させる大当りとが含まれることを特徴とする請求項２記載の弾球遊技機。
【請求項５】
前記第一大入賞口と前記第二大入賞口を、前記特別図柄表示部の停止図柄に応じて使い分けることを特徴とする請求項１記載の弾球遊技機。
【請求項６】
前記第一大入賞口と前記第二大入賞口を、開放ラウンドに応じて使い分けることを特徴とする請求項１記載の弾球遊技機。
【請求項７】
前記第一大入賞口と前記第二大入賞口は、開放ラウンド数、賞球数、入賞許容球数、開放時間、入賞率及び／又は大きさが相違することを特徴とする請求項１〜６のいずれかに記載の弾球遊技機。
【発明の詳細な説明】
【技術分野】
【０００１】
本発明は、始動口に対する遊技球の入賞に応じて、特別図柄を変動表示すると共に、特別図柄に係る抽選に当選したとき、大入賞口を開放動作させるパチンコ遊技機などの弾球遊技機に関する。
【背景技術】
【０００２】
始動口に対する遊技球の入賞に応じて、特別図柄を変動表示すると共に、特別図柄に係る抽選に当選したとき、大入賞口を開放動作させる弾球遊技機が普及している。この種の弾球遊技機では、特別図柄抽選に当選することが最大の関心事であるため、始動口に多くの遊技球を入賞させることだけが遊技の目的となり、遊技が単調になり易いという問題がある。
【０００３】
そこで、始動口、特別図柄表示部及び大入賞口をそれぞれ二個ずつ備える弾球遊技機が提案されている（例えば、特許文献１参照。）。このような弾球遊技機によれば、特別図柄に係る抽選機会が増えるだけでなく、二つの特別図柄表示部で趣向の異なる演出を行うことにより、弾球遊技機の遊技性を高めることが可能になる。
【特許文献１】特開２００３−２６０２４８号公報
【発明の開示】
【発明が解決しようとする課題】
【０００４】
しかしながら、特許文献１に示される弾球遊技機は、二個の大入賞口を備えるものの、これらの大入賞口は、各特別図柄表示部に対応して設けられているに過ぎず、使い分けをするという思想がないため、大入賞口が一個の場合と比べ、遊技性に変化を生じさせることは困難である。
【課題を解決するための手段】
【０００５】
本発明は、上記の如き実情に鑑みこれらの課題を解決することを目的として創作されたものであって、始動口に対する遊技球の入賞に応じて、特別図柄を変動表示する特別図柄表示部と、特別図柄に係る抽選に当選したとき、開放動作される大入賞口とを備える弾球遊技機において、前記大入賞口として、第一大入賞口及び第二大入賞口を備えると共に、これらの大入賞口を、予め定められた条件に基づいて使い分けることを特徴とする。このように構成すれば、二つの大入賞口を使い分けることにより、弾球遊技機の遊技性に変化を与えることができる。
また、前記第一大入賞口と前記第二大入賞口を、前記特別図柄抽選における当選の種別に応じて使い分けることを特徴とする。このように構成すれば、遊技性に変化を与えることができるだけでなく、開放動作する大入賞口にもとづいて、当選の種別を特定することが可能になる。
また、前記当選の種別には、前記大入賞口の開放動作後、特別図柄抽選の当選確率を低確率にする通常大当りと、前記大入賞口の開放動作後、特別図柄抽選の当選確率を高確率にする確変大当りとが含まれることを特徴とする。このように構成すれば、開放動作する大入賞口にもとづいて、通常大当りと確変大当りを識別することが可能になる。
また、前記当選の種別には、前記大入賞口を１ラウンドだけ開放動作させる小当りと、前記大入賞口を複数ラウンドに亘って開放動作させる大当りとが含まれることを特徴とする。このように構成すれば、開放動作する大入賞口にもとづいて、小当りと大当りを識別することが可能になる。
また、前記第一大入賞口と前記第二大入賞口を、前記特別図柄表示部の停止図柄に応じて使い分けることを特徴とする。このように構成すれば、遊技性に変化を与えることができるだけでなく、開放動作する大入賞口にもとづいて、停止図柄を特定することが可能になる。
また、前記第一大入賞口と前記第二大入賞口を、開放ラウンドに応じて使い分けることを特徴とする。このように構成すれば、一回の大当り中に、二つの大入賞口が開放動作するので、遊技性に大きな変化を与えることができる。例えば、第一大入賞口と第二大入賞口を交互に開放動作させてもよいし、ランダムに開放動作させてもよい。また、ランダムに開放動作させる場合には、開放する大入賞口を特別図柄表示部でナビゲーションする等の演出を付加してもよい。
また、前記第一大入賞口と前記第二大入賞口は、開放ラウンド数、賞球数、入賞許容球数、開放時間、入賞率及び／又は大きさが相違することを特徴とする。このように構成すれば、第一大入賞口と第二大入賞口の価値を相違させ、遊技性に大きな変化を与えることができる。
【発明の効果】
【０００６】
以上のように構成された本発明によれば、二つの大入賞口を、予め定められた条件に基づいて使い分けることにより、弾球遊技機の遊技性に変化を与えることができる。
また、二つの大入賞口を、特別図柄抽選における当選の種別に応じて使い分けるようにすれば、開放動作する大入賞口にもとづいて、当選の種別を特定することが可能になる。
【発明を実施するための最良の形態】
【０００７】
［パチンコ遊技機の基本構成］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００８】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の制御基板とを備えている。
【０００９】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。遊技盤４の中央部には、特別図柄表示部１８が設けられ、その周りは、センター飾り１９によって囲まれている。また、センター飾り１９の内側下部には、遊技球を遊動させるステージ２０が設けられている。尚、本実施形態の特別図柄表示部１８は、特別図柄を表示する特別図柄表示装置１８ａと、特別図柄に係る演出図柄を表示する演出図柄表示装置１８ｂを備えるが、説明の便宜上、特別図柄と演出図柄は同一のものとして扱う。
【００１０】
［パチンコ遊技機の基本動作］
上皿６に遊技球が溜った状態で発射ハンドル８を回し操作すると、遊技盤４に向けて遊技球が発射される。発射された遊技球が始動口１４や入賞口に入賞した場合は、所定個数の遊技球が賞球として払い出される。
【００１１】
また、遊技球がゲートを通過したときは、普通図柄表示部（本実施形態では特別図柄表示部１８が兼用される。）において普通図柄の変動表示が行われ、その停止図柄が所定の当り図柄である場合は、始動口１４に設けられる普通電動役物１４ａが所定時間にわたって開放動作される。
【００１２】
また、遊技球が始動口１４に入賞したときは、特別図柄表示部１８において特別図柄の変動表示が行われ、これらの特別図柄が予め決められた大当りの組み合せで停止すると、後述する大当りモード（特定遊技状態）となり、また、予め決められた小当りの組み合せで停止すると、小当りとなる。小当りに当選すると（例えば、１／３０の確率）、大入賞口１５に設けられる特別電動役物１５ａが１回だけ開放動作される。その開放時間は、大当りモード時の開放時間よりも短く、例えば、６秒間に設定されている。以下、大当りの開始、終了などを契機として切換えられるパチンコ遊技機１の各種遊技モードについて、図４を参照して説明する。
【００１３】
［パチンコ遊技機の遊技モード］
（１）通常遊技モード
このモードでは、２段階の大当り確率のうち、低確率（例えば、１／３００）が適用される。また、このモードでは、普通図柄の抽選サイクルが長くなっている。
【００１４】
（２）大当りモード
特別図柄が予め決められた大当り図柄で揃ったとき、このモードが実行される。大当りモードでは、大入賞口１５に設けられる特別電動役物１５ａが開放動作される。この開放動作は、所定時間の経過（例えば３０秒）もしくは所定個数の入賞（例えば１０球）を条件として終了するが、開放動作中に入賞した遊技球が大入賞口１５内の特定の領域を通過した場合は、上記開放動作が所定のラウンド数（例えば１５ラウンド）を限度として繰り返される。
【００１５】
（３）確率変動モード
このモードは、大当りモードが終了した後、所定の確率（例えば、１／２）で実行される。つまり、大当りには、大入賞口１５の開放動作後、特別図柄抽選の当選確率を低確率にする通常大当りと、大入賞口１５の開放動作後、特別図柄抽選の当選確率を高確率にする確変大当りとがある。例えば、大当り時の停止図柄が特定の図柄であったとき、確変大当りとなる。確率変動モードでは、大当り確率が高確率（例えば、１／５０）となり、また、普通図柄の抽選サイクルが短く、しかも、普通電動役物１４ａの開放時間が長いため、持ち玉をほとんど減らすことなく、再び大当りを発生させることができる。
【００１６】
（４）時間短縮モード
このモードは、大当りモードが終了した後に実行される。時間短縮モードでは、大当り確率が低確率であるが、普通図柄の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１７】
［大入賞口］
図３に示すように、遊技盤４には、大入賞口１５として、第一大入賞口１５Ａ及び第二大入賞口１５Ｂが設けられている。図３に示す第一大入賞口１５Ａ及び第二大入賞口１５Ｂは、同じ大きさであり、始動口１４の下方部位に上下に並べて配置されている。第一大入賞口１５Ａは、前述した通常大当りのときに開放動作されるように開放動作条件が設定されており、例えば、１ラウンドの入賞許容球数を５個、１個の入賞に対する賞球数を１０個として５ラウンド開放動作される。一方、第二大入賞口１５Ｂは、前述した確変大当りのときに開放動作されるように開放動作条件が設定されており、例えば、１ラウンドの入賞許容球数を１０個、１個の入賞に対する賞球数を１５個として１５ラウンド開放動作される。
【００１８】
このように二つの大入賞口１５Ａ、１５Ｂを使い分けることにより、遊技性に変化を与えることができ、また、特別図柄抽選における当選の種別に応じて、二つの大入賞口１５Ａ、１５Ｂを使い分けることにより、開放動作する大入賞口１５Ａ、１５Ｂにもとづいて、当選の種別を特定することが可能になる。例えば、確変大当りであるか否かを、特別図柄表示部１８で示さず、いずれの大入賞口１５Ａ、１５Ｂが開放するかによって示すことができる。また、大当り中に、開放する大入賞口１５Ａ、１５Ｂを切換えることにより、通常大当りから確変大当りの昇格を演出するようにしてもよい。
【００１９】
図５は、第一大入賞口１５Ａ（通常大当り用）と第二大入賞口１５Ｂ（確変大当り用）の大きさを相違させた例を示している。このように構成すると、各大入賞口１５Ａ、１５Ｂに付与される価値の差を視覚的に明示できるだけでなく、各大入賞口１５Ａ、１５Ｂの入賞率に差をつけ、遊技性に更なる変化を与えることができる。尚、各大入賞口１５Ａ、１５Ｂの入賞率に差をつける方法としては、各大入賞口１５Ａ、１５Ｂの開放時間を相違させる方法、入賞率に差がでるように遊技釘を調整する方法なども用いることができる。
【００２０】
図６は、特別図柄表示部１８の上方に第一大入賞口１５Ａ（通常大当り用）を配置し、特別図柄表示部１８の下方に第二大入賞口１５Ｂ（確変大当り用）を配置した例を示している。このように構成すると、大入賞口１５Ａ、１５Ｂが二つ設けられていることを強調できると共に、確変大当りであるか否かを明確に示すことが可能になる。
【００２１】
図７は、特別図柄表示部１８の左側に第一大入賞口１５Ａを配置し、特別図柄表示部１８の右側に第二大入賞口１５Ｂを配置した例を示している。このように構成すると、開放動作する大入賞口１５Ａ、１５Ｂに応じて打ち分けが必要になるので、遊技性に更なる変化を与えることができる。例えば、一回の大当り動作中に、第一大入賞口１５Ａと第二大入賞口１５Ｂを交互に開放動作させたり、ランダムに開放動作させることができる。第一大入賞口１５Ａと第二大入賞口１５Ｂをランダムに開放動作させる場合は、開放する大入賞口１５Ａ、１５Ｂを特別図柄表示部１８でナビゲーションする等の演出を付加することができる。
【００２２】
尚、大入賞口１５Ａ、１５Ｂを使い分ける条件としては、上記の条件に限定されなことは勿論である。例えば、小当りと大当りで使い分けたり、特別図柄表示部１８の停止図柄に応じて使い分けるようにしてもよい。
【００２３】
［パチンコ遊技機の基板構成］
次に、パチンコ遊技機１の基板構成について、図８を参照して説明する。図８に示すように、パチンコ遊技機１は、少なくとも主基板２１と、該主基板２１からの演出コマンドに応じて、演出処理を行う周辺基板２２とを備えている。本実施形態の主基板２１は、主制御基板２３、払出制御基板２４、発射モータ制御基板２５及び特別図柄表示制御基板２６を含み、周辺基板２２は、演出図柄表示制御基板２７、音声制御基板２８及びランプ制御基板２９を含んでいる。
【００２４】
払出制御基板２４には、玉切れスイッチ３０、払出センサ３１、払出モータ３２などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３３、タッチセンサ３４、発射モータ１３などが接続されており、発射スイッチ３３及びタッチセンサ３４がＯＮのとき、発射モータ１３を駆動させる。また、特別図柄表示制御基板２６には、特別図柄表示装置１８ａが接続されており、主制御基板２３からの表示信号に応じて、特別図柄表示装置１８ａに特別図柄を表示させる。
【００２５】
主制御基板２３には、入賞口（図示せず）に対する遊技球の入賞を検出する入賞口スイッチＳＷ１、始動口１４に対する遊技球の入賞を検出する始動口スイッチＳＷ２、ゲート（図示せず）に対する遊技球の通過を検出するゲートスイッチＳＷ３、第一大入賞口１５Ａに対する遊技球の入賞を検出する第一大入賞口スイッチＳＷ４、第二大入賞口１５Ｂに対する遊技球の入賞を検出する第二大入賞口スイッチＳＷ５、第一大入賞口１５Ａの特定の領域に対する遊技球の通過を検出する第一特定領域スイッチＳＷ６、第二大入賞口１５Ｂの特定の領域に対する遊技球の通過を検出する第二特定領域スイッチＳＷ７などのセンサ類と、第一大入賞口１５Ａの特別電動役物１５ａや第二大入賞口１５Ｂの特別電動役物１５ａを開閉動作させるソレノイドＳＯＬ１、ＳＯＬ２などのアクチュエータ類とが接続されている。そして、主制御基板２３は、上記各スイッチＳＷ１〜ＳＷ７の検出信号に応じて、特別図柄抽選処理、特別図柄表示処理、演出コマンド送信処理、大入賞口開閉処理などを行う。
【００２６】
演出図柄表示制御基板２７には、演出図柄表示装置１８ｂが接続されており、主制御基板２３からの演出コマンドに応じて、演出図柄表示装置１８ｂに演出図柄を表示させる。また、音声制御基板２８には、スピーカ１０が接続されており、主制御基板２３（又は演出図柄表示制御基板２７）からの演出コマンドに応じて、所定の演出音声をスピーカ１０から出音させる。また、ランプ制御基板２９には、発光表示ランプＬが接続されており、主制御基板２３（又は演出図柄表示制御基板２７）からの演出コマンドに応じて、発光表示ランプＬを点灯動作させる。
【００２７】
次に、主制御基板２３の制御手順を図９及び図１０に沿って説明する。但し、図９は、図３、図５及び図６の実施形態に適用されるフローチャートを示し、図１０は、図７の実施形態に適用されるフローチャートを示している。
【００２８】
図９に示すフローチャートでは、まず、始動口１４に対する遊技球の入賞を判断し（Ｓ１０１）、該判断結果がＹＥＳの場合は、特別図柄抽選に係る基本乱数値を取得する（Ｓ１０２）。次に、取得した基本乱数値に基づいて特別図柄抽選の当否を判定し（Ｓ１０３）、その結果が大当りの場合は、大当りモードとする（Ｓ１０４：条件装置・役物連続作動装置の作動）。そして、確変大当りである場合は（Ｓ１０５）、第二大入賞口１５Ｂを前述した条件で１５ラウンド開放動作させ（Ｓ１０６）、通常大当りである場合は（Ｓ１０５）、第一大入賞口１５Ａを前述した条件で５ラウンド開放動作させる（Ｓ１０７）。その後、大当りモードを終了するが（Ｓ１０８、Ｓ１０９：条件装置・役物連続作動装置の作動終了）、確変大当りの場合は、確率変動モードへ移行させる（Ｓ１１０：確率変動機能の作動）。
【００２９】
図１０に示すフローチャートでは、まず、始動口１４に対する遊技球の入賞を判断し（Ｓ２０１）、該判断結果がＹＥＳの場合は、特別図柄抽選に係る基本乱数値を取得する（Ｓ２０２）。次に、取得した基本乱数値に基づいて特別図柄抽選の当否を判定し（Ｓ２０３）、その結果が大当りの場合は、大当りモードとする（Ｓ２０４：条件装置・役物連続作動装置の作動）。そして、規定ラウンド数が終了するまで（Ｓ２０５）、第一又は第二大入賞口１５Ａ、１５Ｂを連続的に開放動作させ、その後、大当りモードを終了するが（Ｓ２０６：条件装置・役物連続作動装置の作動終了）、本実施形態では、ラウンドに応じて開放させる大入賞口１５Ａ、１５Ｂを切換える。つまり、ラウンド開始時に、開放させる大入賞口１５Ａ、１５Ｂを判断し（Ｓ２０７）、左側の第一大入賞口１５Ａを開放させる場合は、特別図柄表示部１８に左向き矢印などのナビゲーション表示を行いつつ（Ｓ２０８）、第一大入賞口１５Ａを開放させ（Ｓ２０９）、右側の第二大入賞口１５Ｂを開放させる場合は、特別図柄表示部１８に右向き矢印などのナビゲーション表示を行いつつ（Ｓ２１０）、第二大入賞口１５Ｂを開放させる（Ｓ２１１）。
【００３０】
叙述の如く構成された本実施形態のパチンコ遊技機１は、始動口１４に対する遊技球の入賞に応じて、特別図柄を変動表示する特別図柄表示部１８と、特別図柄に係る抽選に当選したとき、開放動作される大入賞口１５とを備えるが、大入賞口１５として、第一大入賞口１５Ａ及び第二大入賞口１５Ｂを備えると共に、これらの大入賞口１５Ａ、１５Ｂを、予め定められた条件に基づいて使い分けるように構成されているので、二つの大入賞口１５Ａ、１５Ｂの使い分けによって、遊技性に大きな変化を与えることができる。
【００３１】
また、第一大入賞口１５Ａと第二大入賞口１５Ｂを、特別図柄抽選における当選の種別に応じて使い分けるように構成すれば、遊技性に変化を与えることができるだけでなく、開放動作する大入賞口１５Ａ、１５Ｂにもとづいて、当選の種別を特定することが可能になる。例えば、図９（図３、図５、図６）に示すように、通常大当りと確変大当りとで大入賞口１５Ａ、１５Ｂを使い分けることができる。また、小当りと大当りとで大入賞口１５Ａ、１５Ｂを使い分けてもよいし、特別図柄表示部１８の停止図柄に応じて大入賞口１５Ａ、１５Ｂを使い分けてもよい。
【００３２】
また、図１０（図７）に示すように、第一大入賞口１５Ａと第二大入賞口１５Ｂを、開放ラウンドに応じて使い分けるように構成すれば、一回の大当り中に、二つの大入賞口１５Ａ、１５Ｂを開放動作させ、遊技性に大きな変化を与えることができる。特に、図１０（図７）に示す実施形態では、開放する大入賞口１５Ａ、１５Ｂを特別図柄表示部１８でナビゲーションするので、遊技者に打ち分けを求めるという、新たな演出を付加することができる。
【００３３】
また、第一大入賞口１５Ａと第二大入賞口１５Ｂの開放ラウンド数、賞球数、入賞許容球数、開放時間、入賞率、大きさなどを相違させれば、遊技性に更なる変化を与えることができる。
【図面の簡単な説明】
【００３４】
【図１】パチンコ遊技機の正面図である。
【図２】パチンコ遊技機の背面図である。
【図３】第一実施形態を示す遊技盤の正面図である。
【図４】パチンコ遊技機の遊技モードを示すフローチャートである。
【図５】第二実施形態を示す遊技盤の正面図である。
【図６】第三実施形態を示す遊技盤の正面図である。
【図７】第四実施形態を示す遊技盤の正面図である。
【図８】パチンコ遊技機の基板構成を示すブロック図である。
【図９】第一〜第三実施形態に適用される制御手順を示すフローチャートである。
【図１０】第四実施形態に適用される制御手順を示すフローチャートである。
【符号の説明】
【００３５】
１      パチンコ遊技機
４      遊技盤
１４    始動口
１５Ａ  第一大入賞口
１５Ｂ  第二大入賞口
１５ａ  特別電動役物
１８    特別図柄表示部
２３    主制御基板
【図１】
2006101978.tif 000003
【図２】
2006101978.tif 000004
【図３】
2006101978.tif 000005
【図４】
2006101978.tif 000006
【図５】
2006101978.tif 000007
【図６】
2006101978.tif 000008
【図７】
2006101978.tif 000009
【図８】
2006101978.tif 000010
【図９】
2006101978.tif 000011
【図１０】
2006101978.tif 000012